(57)【要約】【課題】  電線の接続が容易な電線接続用コネクタを提供する。【解決手段】  向きを揃えて並んだ複数の電線Ｃのうちの１本が接続される端子部１１ｂを有する複数の雄コンタクト及び絶縁材料からなり雄コンタクトを保持する雄ハウジング１２を有するヘッダ１と、雄コンタクトに接触する複数の雌コンタクト及び絶縁材料からなり雌コンタクトを保持する雌ハウジングを有しヘッダ１に着脱自在に結合するソケットとを備える。互いに隣接する電線Ｃが接続される各２個の端子部１１ｂを、電線Ｃの長さ方向に離して配置した。電線Ｃが並ぶ方向に端子部１１ｂを一列に並べる場合に比べ、互いに隣接する端子部１１ｂの間の距離が大きくなるから、電線Ｃの接続が容易となる。【選択図】図１
2005071668.tif 000002
【特許請求の範囲】
【請求項１】
それぞれ導電材料からなり向きを揃えて並んだ複数の電線のうちの１本が接続される端子部を有する複数の雄コンタクト及び絶縁材料からなり雄コンタクトを保持する雄ハウジングを有するヘッダと、それぞれ導電材料からなり雄コンタクトに接触可能な複数の雌コンタクト及び絶縁材料からなり雌コンタクトを保持する雌ハウジングを有しヘッダに着脱自在に結合するソケットとを備え、互いに隣接する電線が接続される各２個の端子部を、電線の長さ方向に離して配置したことを特徴とする電線接続用コネクタ。
【請求項２】
雄ハウジングと雌ハウジングとは互いに嵌合する凹部と凸部とのそれぞれ一方を有し、ヘッダとソケットととの結合時に、互いに隣接する電線が接続される各２個の雄コンタクト及び当該２個の雄コンタクトが接触する各２個の雌コンタクトが凸部を挟んで互いに反対側に位置するように雄コンタクトと雌コンタクトとをそれぞれ配置したことを特徴とする請求項１記載の電線接続用コネクタ。
【請求項３】
雌コンタクトはソケットをプリント配線板に実装するための端子部を有し、互いに隣接する電線に接続される各２個の雄コンタクトにそれぞれ接触する各２個の雌コンタクトの端子部を、実装面に沿った方向であって電線の並ぶ方向に交差する方向に離して配置したことを特徴とする請求項１記載の電線接続用コネクタ。
【請求項４】
雌コンタクトはソケットをプリント配線板に実装するための端子部を有し、互いに隣接する電線に接続される各２個の雄コンタクトにそれぞれ接触する各２個の雌コンタクトの端子部を、実装面に沿った方向で雌ハウジングを挟んで互いに反対側に設けたことを特徴とする請求項１記載の電線接続用コネクタ。
【請求項５】
互いに隣接する電線に接続される各２個の雄コンタクト並びにこれら各２個の雄コンタクトにそれぞれ接触する各２個の雌コンタクトを、それぞれ電線が並ぶ方向から見て互いに重ならないように配設したことを特徴とする請求項１記載の電線接続用コネクタ。
【請求項６】
ソケットはプリント配線板に実装されるものであって、雄ハウジングと雌ハウジングとをプリント配線板に沿った方向に嵌合可能な形状に形成したことを特徴とする請求項１乃至請求項５の何れかに記載の電線接続用コネクタ。
【発明の詳細な説明】
【技術分野】
【０００１】
本発明は、電線が接続される電線接続用コネクタに関するものである。
【背景技術】
【０００２】
従来から、電線と他の電線やプリント配線板を接続するために用いられる電線接続用コネクタとして、種々のものが提供されている（例えば、特許文献１参照）。電線とプリント配線板とを接続する電線接続用コネクタとしては、図６に示すものがある。この電線接続用コネクタは、向きを揃えて並んだ複数の電線が接続されるヘッダ１と、プリント配線板に実装されるとともにヘッダ１に着脱自在に結合するソケット２とを備える。
【０００３】
ヘッダ１は、それぞれ１本の電線が接続される複数の雄コンタクト１１と、雄コンタクト１１をそれぞれ保持する雄ハウジング１２とを備える。ソケット２は、ヘッダ１が挿抜される凹部２２ａが設けられた雌ハウジング２２と、凹部２２ａに挿入されたヘッダ１の雄コンタクト１１に接触する雌コンタクト２１とを備える。
【０００４】
雄コンタクト１１は、図７に示すように、雄ハウジング１２に保持された保持部１１ａと、保持部１１ａの一端から延長され雄ハウジング１２のソケット２との結合時に露出する面（図７の上面）から突出して例えばはんだ付けによって電線Ｃに接続される端子部１１ｂと、保持部１１ａの他端から延長され保持部１１ａとともにＪ字を形成するように曲げられて後述する雌コンタクト２１に弾接する接触部１１ｃとを有する。
【０００５】
従来は、雄コンタクト１１の端子部１１ｂは電線Ｃの並ぶ方向に一直線に並べられ、従って雄コンタクト１１の端子部１１ｂのピッチは電線Ｃのピッチと同じになっていた。
【特許文献１】特許第３０６６７１３号公報（第２−３頁、第１図）
【発明の開示】
【発明が解決しようとする課題】
【０００６】
ところで、近年は電子機器の高密度化に伴って、電線Ｃとして使用される同軸ケーブルも小径化が進み、電線Ｃのピッチも小さくなっている。上記従来構成では、電線Ｃのピッチの極小化に伴って端子部１１ｂのピッチが極小化し、電線Ｃと端子部１１ｂとの接続時にはんだブリッジによる短絡が発生しやすくなり、従って電線Ｃと雄コンタクト１１の端子部１１ｂとの接続が難しくなっていた。
【０００７】
本発明は上記事由に鑑みてなされたものであり、その目的は、電線と雄コンタクトとの接続が容易な電線接続用コネクタを提供することにある。
【課題を解決するための手段】
【０００８】
請求項１の発明は、それぞれ導電材料からなり向きを揃えて並んだ複数の電線のうちの１本が接続される端子部を有する複数の雄コンタクト及び絶縁材料からなり雄コンタクトを保持する雄ハウジングを有するヘッダと、それぞれ導電材料からなり雄コンタクトに接触可能な複数の雌コンタクト及び絶縁材料からなり雌コンタクトを保持する雌ハウジングを有しヘッダに着脱自在に結合するソケットとを備え、互いに隣接する電線が接続される各２個の端子部を、電線の長さ方向に離して配置したことを特徴とする。
【０００９】
この構成によれば、電線のピッチを小さくしたとしても、電線が並ぶ方向に雄コンタクトの端子部を一列に並べて配置する場合に比べ、隣接する電線に接続される各２個の端子部の間隔が大きくなるから、電線と雄コンタクトとの接続が容易になる。
【００１０】
請求項２の発明は、請求項１の発明において、雄ハウジングと雌ハウジングとは互いに嵌合する凹部と凸部とのそれぞれ一方を有し、ヘッダとソケットととの結合時に、互いに隣接する電線が接続される各２個の雄コンタクト及び当該２個の雄コンタクトが接触する各２個の雌コンタクトが凸部を挟んで互いに反対側に位置するように雄コンタクトと雌コンタクトとをそれぞれ配置したことを特徴とする。
【００１１】
この構成によれば、互いに隣接する雄コンタクトの間の距離及び互いに隣接する雌コンタクトの間の距離が大きくなるから、雄コンタクト及び雌コンタクトの寸法、又は雄ハウジング及び雌ハウジングにおいて互いに隣接する雄コンタクト又は雌コンタクトの間に位置する部位の寸法を大きくして製造を容易とし、製造コストを低減することができる。
【００１２】
請求項３の発明は、請求項１の発明において、雌コンタクトはソケットをプリント配線板に実装するための端子部を有し、互いに隣接する電線に接続される各２個の雄コンタクトにそれぞれ接触する各２個の雌コンタクトの端子部を、実装面に沿った方向であって電線の並ぶ方向に交差する方向に離して配置したことを特徴とする。
【００１３】
この構成によれば、電線が並ぶ方向に雌コンタクトの端子部を並べて配置する場合に比べて端子部間の距離が大きくなる。従って、端子部の面積を大きくしてはんだ付けの接合強度を向上することができる。また、プリント配線板において端子部がはんだ付けされるパッドの面積を大きくし、ソケットをプリント配線板に実装する際の位置合わせを容易とすることができる。さらに、はんだブリッジ等の実装不良の発生を防ぐことができる。
【００１４】
請求項４の発明は、請求項１の発明において、雌コンタクトはソケットをプリント配線板に実装するための端子部を有し、互いに隣接する電線に接続される各２個の雄コンタクトにそれぞれ接触する各２個の雌コンタクトの端子部を、実装面に沿った方向で雌ハウジングを挟んで互いに反対側に設けたことを特徴とする。
【００１５】
この構成によれば、電線が並ぶ方向に雌コンタクトの端子部を並べる場合に比べ、端子部間の距離が大きくなるから、ソケットのプリント配線板への実装が容易になる。
【００１６】
請求項５の発明は、請求項１の発明において、互いに隣接する電線に接続される各２個の雄コンタクト並びにこれら各２個の雄コンタクトにそれぞれ接触する各２個の雌コンタクトを、それぞれ電線が並ぶ方向から見て互いに重ならないように配設したことを特徴とする。
【００１７】
この構成によれば、雄コンタクト同士及び雌コンタクト同士が電線が並ぶ方向から見て互いに重なる場合に比べ、雄コンタクト間及び雌コンタクト間の距離が大きくなるから、雄コンタクト間の絶縁及び雌コンタクト間の絶縁をより確実に保つことができる。また、雄コンタクト及び雌コンタクトの寸法を大きくして製造を容易とし、製造コストを低減することができる。
【００１８】
請求項６の発明は、請求項１乃至請求項５のいずれかの発明において、ソケットはプリント配線板に実装されるものであって、雄ハウジングと雌ハウジングとをプリント配線板に沿った方向に嵌合可能な形状に形成したことを特徴とする。
【発明の効果】
【００１９】
本発明によれば、互いに隣接する電線が接続される各２個の端子部を、電線の長さ方向に離して配置したので、電線のピッチを小さくしたとしても、電線が並ぶ方向に雄コンタクトの端子部を一列に並べて配置する場合に比べ、隣接する電線に接続される各２個の端子部の間隔が大きくなるから、電線と雄コンタクトとの接続が容易になる。
【発明を実施するための最良の形態】
【００２０】
以下、本発明を実施するための最良の形態について、図を用いて説明する。
【００２１】
（実施形態１）
本実施形態は、図２に示すように、電線Ｃが接続される複数の雄コンタクト１１と雄コンタクト１１を保持する雄ハウジング１２とを有するヘッダ１と、雄コンタクト１１に接触する複数の雌コンタクト２１と雌コンタクト２１を保持する雌ハウジング２２とを有しヘッダ１に着脱自在に結合するソケット２とを備える。
【００２２】
雄ハウジング１２は、扁平な基部１２ａと、基部１２ａのソケット２に向けられる面に長細い範囲に亙って突設された凸部１２ｂとを備える。凸部１２ｂの短手方向（図２の左右方向）の両側には、それぞれ雄コンタクト１１を保持する複数の保持溝１２ｃが全体として千鳥状の配置で設けられている。雄コンタクト１１は、保持溝１２ｃの底に保持された保持部１１ａと、保持部１１ａの一端から延設され雄ハウジング１２の基部１２ａを貫通して雄ハウジング１２から突出し電線Ｃが接続される端子部１１ｂと、保持部の他端から延設され保持部１１ａとともにＵ字を形成するように曲げられて先端と保持溝１２ｃの底面との距離を変化させる方向のばね性を有する接触部１１ｃとを有する。保持溝１１ａが千鳥状の配置で設けられていることにより、端子部１１ｂは全体として千鳥状の配置で２列に並んでいる。
【００２３】
雌ハウジング２２には、雄ハウジング１２の凸部１２ｂを収納可能な長細い凹部２２ａが設けられている。凹部２２ａの短手方向（図２の左右方向）の両側には、それぞれ複数の雌コンタクト２１が保持されている。雌コンタクト２１は、凹部２２ａの内外に貫通する形で雌ハウジング２２に保持された保持部２１ａと、保持部２１ａの一端から延設され雌ハウジング２２の外側に突出してソケット２をプリント配線板（図示せず）に実装するために用いられる端子部２１ｂと、保持部２１ａの他端から延設され凹部２２ａの内側に突出して雄コンタクト１１の接触部１１ｃに接触する接触部２２ｃとを有する。雄ハウジング１２の凸部１２ｂの異なる側に保持された雄コンタクト１１は、雌ハウジング２２の凹部２２ａの異なる側に保持された雌コンタクト２２にそれぞれ接触する。
【００２４】
各端子部１１ｂには、雄ハウジング１２の凸部１２ｂの短手方向へ向けて凸部１２ｂの長手方向（図２の紙面に直交する方向）に並べられた複数の電線Ｃのうちのそれぞれ一本が接続される。ここで、互いに隣接する２本の電線Ｃは、図１に示すように、雄ハウジング１２の凸部１２ｂの互いに異なる側に位置する雄コンタクト１１の端子部１１ｂ、すなわち千鳥状に２列に並んだ端子部１１ｂのうち互いに異なる列に属する端子部１１ｂにそれぞれ接続される。つまり、隣接する２本の電線Ｃをどのように取り出しても、この２本の電線Ｃに接続される２個の雄コンタクト１１の端子部１１ｂは電線Ｃの長さ方向に離れていることになる。
【００２５】
上記構成によれば、端子部１１ｂが全体として千鳥状の配置で２列に並んでいるから、各１列での端子部１１ｂのピッチは電線Ｃのピッチの２倍になっている。従って、電線Ｃのピッチを小さくしたとしても、雄コンタクト１１の端子部１１ｂを電線Ｃが並ぶ方向に１列に並べる場合に比べ、端子部１１ｂへの電線Ｃの接続が容易になる。
【００２６】
また、互いに隣接する電線Ｃに接続される各２個の雄コンタクト１１同士及びこれらの雄コンタクト１１に接触する雌コンタクト２１同士は、凸部１２ｂを挟んで互いに反対側に配置されているから、雄コンタクト１１及び雌コンタクト２１が全て凸部１２ｂの同じ側に配置される場合に比べ、互いに隣接する雄コンタクト１１間及び互いに隣接する雌コンタクト２１間の距離が大きくなる。従って、雄コンタクト１１及び雌コンタクト２１の寸法、又は雄ハウジング１２及び雌ハウジング２２において雄コンタクト１１間又は雌コンタクト２１間に挟まれる部位の寸法を大きくして製造を容易とし、製造コストを低減することができる。
【００２７】
さらに、互いに隣接する電線Ｃに接続される２個の雄コンタクト１１がそれぞれ接触する２個の雌コンタクト２１の端子部２１ｂは、実装面に沿った方向で雌ハウジング２２を挟んで互いに反対側に配置されているから、全ての雌コンタクト２１の端子部２１ｂを雌ハウジング２２の同じ側に配置する場合に比べて端子部２１ｂ間の距離が大きくなる。従って、端子部２１ｂの面積を大きくしてはんだ付けの接合強度を向上することができる。又は、プリント配線板において端子部２１ｂがはんだ付けされるパッドの面積を大きくし、ソケット２をプリント配線板に実装する際の位置合わせを容易とすることができる。又は、上記パッド間の距離を大きくして、はんだブリッジ等の実装不良の発生を防ぐことができる。
【００２８】
（実施形態２）
本実施形態は、図３に示すように、雌コンタクト４２，４３の端子部４２ｂ，４３ｂを、実装面に沿って雌ハウジング４１の同じ側に設ける代わりに、電線ｃの長さ方向（図３の左右方向）に離したことを特徴とする。また、雄ハウジング３１と雌ハウジング４１とは、ヘッダ３とソケット４との結合時に雄コンタクト３２，３３の接続部３２ｂ，３３ｂを覆う形状に形成されている。以下、上下左右は図３を基準に説明する。なお、ヘッダ３に接続される電線Ｃは左向きに揃えてあり、電線Ｃの並ぶ方向は前後方向（図３の紙面に直交する方向）である。
【００２９】
詳しく説明すると、雄ハウジング３１は、電線Ｃの先部を雌ハウジング４１との間に挟む本体部３１ａと、本体部３１ａの左端部から下方に垂設された凸部３１ｂとを有する。
【００３０】
雄コンタクト３２，３３は、左右に長く本体部３１ａ内に保持された保持部３２ａ，３３ａと、保持部３２ａ，３３ａの右端から下方に延設され雄ハウジング３１の本体部３１ａの下方に突出した端子部３２ｂ，３３ｂと、保持部３２ａ，３３ａの左端から下方に延設され凸部３１ｂに沿って露出した接触部３２ｃ，３３ｃとを備える。ここで、雄コンタクト３２，３３は接触部３２ｃが凸部３１ｂの右側に露出するものと、接触部３３ｃが凸部３１ｂの左側に露出するものとが前後方向に並べて交互に設けられている。接触部３２ｃが凸部３１ｂの右側に露出する雄コンタクト（以下、「第１の雄コンタクト３２」と呼ぶ。）の端子部３２ｂは、接触部３３ｃが凸部３１ｂの左側に露出する雄コンタクト（以下、「第２の雄コンタクト３３」と呼ぶ。）の端子部３３ｂよりも右側に位置するようにしてある。つまり、互いに隣接する電線Ｃが接続される各２個の端子部３２ｂ，３３ｂは、電線Ｃの長さ方向に離して配置されている。また、第１の雄コンタクト３２の保持部３２ａは、第２の雄コンタクト３３の保持部３３ａよりも下側に配置されており、電線Ｃが並ぶ方向から見ると、第１の雄コンタクト３２と第２の雄コンタクト３３とは互いに重ならないようになっている。
【００３１】
雌ハウジング４１は、電線Ｃを雄ハウジング３１の本体部３１ａとの間に挟む形状に形成され、左端部の上面には雄ハウジング３１の凸部３１ｂに嵌合する凹部４１ｂが設けられている。凹部４１ｂの左右の内面には、それぞれ後述する雌コンタクト４２，４３の接触部４２ｃ，４３ｃが収納される収納凹部４１ｃ，４１ｄが設けられている。
【００３２】
雌ハウジング４１には、第１の雄コンタクト３２に接触する第１の雌コンタクト４２と、第２の雄コンタクト３３に接触する第２の雌コンタクト４３とが、前後方向に並べて交互に保持されている。
【００３３】
第１の雌コンタクト４２は、雌ハウジング４１の下面に設けられた凹部４１ｅ内に保持される逆Ｕ字形状の保持部４２ａと、保持部４２ａから左方へ延設されプリント配線板への実装に用いられる端子部４２ｂと、保持部４２ａから右方へ延設され右側の収納凹部４１ｃ内を上方へ延びて先部が収納凹部４１ｃから凹部４１ｂの内側へ弾性的に突出して第１の雄コンタクト３２の接触部３２ｃに接触する接触部４２ｃとを有する。
【００３４】
第２の雌コンタクト４３は、左側の収納凹部４１ｄの底部に保持された保持部４３ａと、保持部４３ａの上端から左方へ延設され雌ハウジング４１の左側で雌ハウジング４１の下面を含む平面よりも下側へ延設された連結部４３ｅと、連結部４３ｅの下端から左方へ延設されプリント配線板への実装に用いられる端子部４３ｂと、保持部４３ａの下端から延設され保持部４３ａとともにＵ字形を形成するように曲げられ先部が収納凹部４１ｄから凹部４１ｂの内側へ弾性的に突出して第２の雄コンタクト３３の接触部３３ｃに接触する接触部４３ｃとを有する。
【００３５】
ここで、電線Ｃが並ぶ方向（図３の紙面に直交する方向）から見て、第１の雌コンタクト４２の全体は、第２の雌コンタクト４３の保持部４３ａと連結部４３ｅとで形成される逆Ｕ字に囲まれ、第１の雌コンタクト４２と第２の雌コンタクト４３とは重ならないようになっている。また、第２の雌コンタクト４３の端子部４３ｂの位置は、第１の雌コンタクト４２の端子部４２ｂの位置に対して電線Ｃの長さ方向にずれている。
【００３６】
上記構成によれば、図４に示すように互いに隣接する電線Ｃに接続される雄コンタクト３２，３３同士、及びこれらの雄コンタクト３２，３３に接触する雌コンタクト４２，４３同士のそれぞれ一部Ａ，Ｂが電線Ｃが並ぶ方向から見て互いに重なる場合に比べ、雄コンタクト３２，３３間及び雌コンタクト４２，４３間の絶縁距離をより大きくとることができる。また、雄コンタクト３２，３３及び雌コンタクト４２，４３の寸法、又は雄ハウジング３１及び雌ハウジング４１において雄コンタクト３２，３３間又は雌コンタクト４２，４３間に位置する部位の寸法を大きくして容易に製造可能とすることにより、製造コストを低減することもできる。
【００３７】
（実施形態３）
本実施形態は、図５に示すように、ヘッダ５とソケット６とを図５におけるソケット６の下面が載置される図示しない実装面に沿った方向（図５の矢印の方向）に嵌合する形状としたことを特徴とする。以下、上下左右は図５を基準として説明する。
【００３８】
詳しく説明すると、雌ハウジング６１は一面が実装面上に載置される直方体形状に形成され、実装面に載置される面に直交する一面（図５の右面）に凹部６１ａを有する。凹部６１ａの上下の内面には、それぞれ雌コンタクト６２，６３の一部が収納される収納凹部６１ｂ，６１ｃが設けられている。
【００３９】
雌ハウジング６１には、それぞれ形状が異なる第１の雌コンタクト６２と第２の雌コンタクト６３とが前後方向（図５の紙面に直交する方向）に交互に並べて保持されている。
【００４０】
第１の雌コンタクト６２は、雌ハウジング６１の下面付近で凹部６１ａの底部を左右に貫通する形で保持された保持部６２ａと、保持部６２ａから左方へ延設され雌ハウジング６１の左側へ突出し図示しないプリント配線板への実装に用いられる端子部６２ｂと、保持部６２ａから右方へ延設されて凹部６１ａの下側の内面に設けられた収納凹部６１ｂ内へ延び，先部が収納凹部６１ｂから凹部６１ａの内側へ弾性的に突出する接触部６２ｃとを有する。
【００４１】
第２の雌コンタクト６３は、雌ハウジング６１の上面付近で凹部６１ａの底部を左右に貫通する形で保持された保持部６３ａと、保持部６３ａから左方へ延設され左下方へ延びて雌ハウジング６１の下面を含む面上であって第１の雌コンタクト６２の端子部６２ｂよりも雌ハウジング６１から離れた位置へ延設された連結部６３ｅと、連結部６３ｅから左方へ延設されプリント配線板への実装に用いられる端子部６３ｂと、保持部６３ａから右方へ延設されて凹部６１ａの上側の内面に設けられた収納凹部６１ｃ内へ延び、先部が収納凹部６１から凹部６１ａの内側へ弾性的に突出する接触部６３ｃとを有する。
【００４２】
ここで、第２の雌コンタクト６３の端子部６３ｂは第１の雌コンタクト６２の端子部６２ｂよりも左側に位置し、且つ第２の雌コンタクト６３の端子部６３ｂを除く全体は第１の雌コンタクト６２よりも上側に位置している。つまり、電線Ｃが並ぶ方向から見て第１の雌コンタクト６２と第２の雌コンタクト６３とは互いに重ならないようになっている。
【００４３】
雄ハウジング５１は、電線Ｃの先部が収納される収納凹部５１ｃが一面に設けられた本体部５１ｂと、本体部５１ｂから収納凹部５１ｃの開口面に沿った方向に突出して雌ハウジング６１の凹部６１ａに嵌合する凸部５１ａと、本体部５１ｂの凸部５１ａが突設された面の反対面に設けられ収納凹部５１ｃに連通し電線Ｃが挿通される電線挿通穴５１ｄとを有する。
【００４４】
雄ハウジング５１には、それぞれ形状が異なる第１の雄コンタクト５２及び第２の雄コンタクト５３が電線Ｃが並ぶ方向に沿って交互に並べて保持されている。
【００４５】
第１及び第２の雄コンタクト５２，５３はそれぞれ、雄ハウジング５１の内部に保持された保持部５２ａ，５３ａと、保持部５２ａ，５３ａの一端から延設され収納凹部５１ｃの底面から突出し電線Ｃが接続される端子部５２ｂ，５３ｂと、保持部５２ａ，５３ａの他端から延設され凸部５１ａの突出方向に沿って延び凸部５１ａの外側に露出する接触部５２ｃ，５３ｃとを有する。
【００４６】
ここで、第１の雄コンタクト５２の端子部５２ｂは第２の雄コンタクト５３の端子部５３ｂよりも電線挿通穴５１ｄに近い位置に配置され、端子部５２ｂ，５３ｂは全体として電線Ｃが並ぶ方向に沿って千鳥状に２列に並んでいる。つまり、互いに隣接する電線Ｃに接続される各２個の端子部５２ｂ，５３ｂは、電線Ｃの長さ方向に離してある。
【００４７】
また、第１の雄コンタクト５２の接触部５２ｃは雄ハウジング５１の凸部５１ａの突出方向に沿った面であって収納凹部５１ｃの開口の反対向きの面に露出し、第２の雄コンタクト５３の接触部５３ｃは雄ハウジング５１の凸部５１ａの第１の雄コンタクト５２の接触部５２ｃが露出する面の反対面に露出している。そして、電線Ｃが並ぶ方向から見て第１の雄コンタクト５２と第２の雄コンタクト５３とは互いに重ならないようになっている。
【００４８】
上記構成によれば、ヘッダ５とソケット６との嵌合方向を実装面に沿った方向としながらも、実施形態２と同様の効果が得られる。
【図面の簡単な説明】
【００４９】
【図１】本発明の実施形態１の要部を示す斜視図である。
【図２】同上を示す断面図である。
【図３】本発明の実施形態２を示す図であり、（ａ）（ｂ）はそれぞれ異なる断面での断面図である。
【図４】同上の別の形態を示す図であり、（ａ）（ｂ）はそれぞれ異なる断面での断面図である。
【図５】本発明の実施形態３を示す図であり、（ａ）（ｂ）はそれぞれ異なる断面での断面図である。
【図６】従来例を示す斜視図である。
【図７】同上を示す断面図である。
【符号の説明】
【００５０】
１  ヘッダ
２  ソケット
１１  雄コンタクト
１１ｂ  端子部
１２  雄ハウジング
２１  雌コンタクト
２１ｂ  端子部
２２  雌ハウジング
Ｃ  電線
【図１】
2005071668.tif 000003
【図２】
2005071668.tif 000004
【図３】
2005071668.tif 000005
【図４】
2005071668.tif 000006
【図５】
2005071668.tif 000007
【図６】
2005071668.tif 000008
【図７】
2005071668.tif 000009